(57)【要約】【課題】上屋根のみならず、下屋根に生じる伸縮や変形のストレスをも好適に解放し得る二重葺き折板屋根の屋根葺き構造を提供提供する。【解決手段】下屋根用の支持具４は、屋根下地１上に固定される下屋根用のサドル５と、下屋根のハゼ継ぎ部１４に挟着される下屋根用の吊子６とを備え、該吊子６が下屋根用のサドル５によって屋根勾配方向に摺動しうるように保持される。また、上屋根用の支持具７は、下屋根のハゼ継ぎ部１４に固定される上屋根用のサドル８と、上屋根のハゼ継ぎ部に挟着される上屋根用の吊子９とを備え、該吊子９が上屋根用のサドル８によって、上記下屋根とは独立して屋根勾配方向に摺動しうるように保持される。【選択図】図１
2008231823.tif 000002
【特許請求の範囲】
【請求項１】
屋根下地上に取り付けられた下屋根用の支持具を介して下屋根の折板がハゼ継ぎされ、該下屋根のハゼ継ぎ部に取り付けられた上屋根用の支持具を介して上屋根の折板がハゼ継ぎされる二重葺き折板屋根において、
下屋根用の支持具は、屋根下地上に固定される下屋根用のサドルと、下屋根のハゼ継ぎ部に挟着される下屋根用の吊子とを備え、該吊子が下屋根用のサドルによって屋根勾配方向に摺動しうるように保持されるとともに、
上屋根用の支持具は、下屋根のハゼ継ぎ部に固定される上屋根用のサドルと、上屋根のハゼ継ぎ部に挟着される上屋根用の吊子とを備え、該吊子が上屋根用のサドルによって、上記下屋根とは独立して屋根勾配方向に摺動しうるように保持されることを特徴とする二重葺き折板屋根の屋根葺き構造。
【請求項２】
請求項１に記載の二重葺き折板屋根の屋根葺き構造において、
上屋根用及び下屋根用の各支持具は、吊子の底部が縦断面逆Ｔ字状に形成されるとともに、サドルには上方に開口する縦断面逆Ｔ字状の溝部が設けられ、この溝部内に吊子の底部が抱持されたことを特徴とする二重葺き折板屋根の屋根葺き構造。
【発明の詳細な説明】
【技術分野】
【０００１】
本発明は、金属製の折板屋根を用いた屋根葺き構造に関し、さらに詳しくは、下葺き折板屋根の上に上葺き折板屋根を葺設する、いわゆる二重葺き折板屋根の屋根葺き構造に関する。
【背景技術】
【０００２】
工場、倉庫、体育館などの大空間建築物や簡易な構造の小規模建築物に好適な屋根葺き構造として、金属製の折板屋根材（以下、単に「折板」という。）をハゼ継ぎして葺設する、いわゆるボルトレス式の折板屋根が広く普及している。かかる折板屋根において、特に高い断熱・防音効果を得るため、折板を二重葺きし、下葺き折板屋根（以下、「下屋根」という。）と上葺き折板屋根（以下、「上屋根」という。）との間にグラスウール等の断熱防音材を配置した、二重葺きの折板屋根が採用されることもある。
【０００３】
この種の折板屋根は、激しい外気温変化や太陽輻射熱、風雨などの外的熱要因に曝されるので、折板が長手方向（屋根の勾配方向）に伸縮しようとする。そのストレスや摩擦力が蓄積されると、折板は波うつように変形し、バックリングと呼ばれる爆烈音を発生させる。また、伸縮の繰り返しによる荷重が蓄積されると、折板を固定している吊子が変形・破損したり、ボルト・ナット等の締結具が緩んだり、最悪の場合は折板の飛散に至るおそれもある。
【０００４】
そこで、特許文献１〜３等には、二重葺き折板屋根の熱伸縮を吸収する屋根葺き構造が開示されている。その屋根葺き構造は、図３及び図４に示すように、タイトフレーム１１の頂部に取り付けた下屋根用の吊子１２を介して、まず下屋根の折板１３，１３をハゼ継ぎし、この下屋根のハゼ継ぎ部１４に図示のようなサドル２を適宜間隔で取り付け、下屋根の折板１３上に断熱防音材１５を敷設した後、サドル２の上部に取り付けた上屋根用の吊子１６を介して、上屋根の折板１７，１７をハゼ継ぎするものである。
【０００５】
サドル２は、合成樹脂等により形成された左右一対のブロック２ａ，２ｂからなる部材で、これら両ブロック２ａ，２ｂはボルト３１・ナット３２により結合されている。サドル２の分割面（ブロック２ａ，２ｂの合わせ面）の下部には、断面略Ｔ字状をなす下溝部２１が形成され、この下溝部２１に下屋根のハゼ継ぎ部１４が挟持されて、サドル２の側方から打ち込まれるタッピングビス３３により、サドル２が下屋根のハゼ継ぎ部１４に固定される。
【０００６】
サドル２の分割面の上部には、断面逆Ｔ字状をなす上溝部２２が形成されている。上屋根用の吊子１６の底部も断面逆Ｔ字状に形成されて、この底部がサドル２の上溝部２２に抱持される。そして、上屋根用の吊子１６が、上屋根の折板１７の熱伸縮に追随してサドル２の上溝部２２内を屋根勾配方向に摺動する。これによって上屋根の折板１７のストレスが円滑に開放され、バックリングの発生や折板屋根の変形、破損等を防止することができる。
【特許文献１】特開平９−３２８８６９号公報
【特許文献２】特開平１１−１４１０６１号公報
【特許文献３】特開２００４−１５０１７４号公報
【発明の開示】
【発明が解決しようとする課題】
【０００７】
上記の二重葺き折板屋根においては、通常、下屋根と上屋根との間に断熱材が敷設される。しかし、下屋根にも、上屋根と比べれば小さいながら、多少の熱的ストレスが蓄積される。また、建物内側の温度変化も、下屋根に対して熱的ストレスを与える。さらには、折板屋根を支持する建物の構造体に作用する熱や、風、道路の振動、地盤沈下、地震等の外力によって構造体自体が変形したり、周期的に揺動したりすることもある。折板屋根が葺設される建物の多くは鉄骨軸組構造を採用しているから、上記のような原因による構造体の変形量は決して小さくはない。
【０００８】
図３、図４に示した二重葺き折板屋根では、下屋根の折板が、下屋根用の吊子及びタイトフレームを介して構造体に固定されている。そのため、下屋根に作用する熱的要因や構造体の物理的変形によって、下屋根の折板にもバックリングが生じたり、下屋根用の支持部材が変形・破損したりするおそれがある。
【０００９】
そこで、本発明は、上屋根のみならず、下屋根に生じる伸縮や変形のストレスをも好適に解放し得る二重葺き折板屋根の屋根葺き構造を提供するものである。
【課題を解決するための手段】
【００１０】
上記した目的を達成するため、本発明は、屋根下地上に取り付けられた下屋根用の支持具を介して下屋根の折板がハゼ継ぎされ、該下屋根のハゼ継ぎ部に取り付けられた上屋根用の支持具を介して上屋根の折板がハゼ継ぎされる二重葺き折板屋根において、下屋根用の支持具が、屋根下地上に固定される下屋根用のサドルと、下屋根のハゼ継ぎ部に挟着される下屋根用の吊子とを備え、該吊子が下屋根用のサドルによって屋根勾配方向に摺動しうるように保持されるとともに、上屋根用の支持具が、下屋根のハゼ継ぎ部に固定される上屋根用のサドルと、上屋根のハゼ継ぎ部に挟着される上屋根用の吊子とを備え、該吊子が上屋根用のサドルによって、上記下屋根とは独立して屋根勾配方向に摺動しうるように保持されるものとして特徴付けられる。
【００１１】
さらに、本発明は、上記二重葺き折板屋根の屋根葺き構造において、上屋根用及び下屋根用の各支持具は、吊子の底部が縦断面逆Ｔ字状に形成されるとともに、サドルには上方に開口する縦断面逆Ｔ字状の溝部が設けられ、この溝部内に吊子の底部が抱持されたものとして特徴付けられる。
【００１２】
すなわち、本発明は、吊子がサドルによって摺動自在に保持される上記従来の屋根葺き構造を、下屋根及び上屋根に対して二重に適用したものである。この構成によれば、上屋根及び下屋根の双方が、それぞれ独立して摺動自在となるので、上屋根のみならず、下屋根に生じる伸縮や変形のストレスをも好適に解放することが可能になる。
【発明の効果】
【００１３】
上述のように構成される本発明の二重葺き折板屋根の屋根葺き構造によれば、上屋根に蓄積される熱的ストレスは、上屋根を支持する吊子の摺動によって解放されるとともに、下屋根に作用する熱的要因や構造体の物理的変形等によって下屋根に蓄積されるストレスも、下屋根を支持する吊子の摺動によって解放される。上屋根と下屋根とは、それぞれの支持具によって、互いに異なる摺動をすることができるように保持される。したがって、バックリングの防止効果や屋根の長期的な耐久性能を、従来よりもさらに向上させることができる。
【発明を実施するための最良の形態】
【００１４】
以下、本発明の実施の形態について図を参照して説明する。図１は本発明の実施形態に係る二重葺き折板屋根の屋根葺き構造を示す斜視図であり、図２は同じく断面図である。なお、図３及び図４に示した従来の屋根葺き構造と機能的に共通する部位、部材には、共通の符号を付す。  
【００１５】
この二重葺き折板屋根の主たる構成要素は、屋根下地上に取り付けられる下屋根用の支持具４と、該支持具４を介してハゼ継ぎされる下屋根の折板１３，１３と、該下屋根のハゼ継ぎ部１４に取り付けられる上屋根用の支持具７と、該支持具７を介してハゼ継ぎされる上屋根の折板１７，１７である。
【００１６】
下屋根用の支持具４は、母屋１その他の屋根下地に固定される下屋根用のサドル５と、該サドル５に支持される下屋根用の吊子６とによって構成される。サドル５は、鋼材等からなるサドル半体５１，５１を対にして抱き合わせた部材である。各サドル半体５１は、それぞれ底板部５２と起立板部５３とからなる略Ｌ字状の脚部を有している。脚部は、従来のタイトフレーム１１（図３）に代わるもので、底板部５２が母屋１等の長さ方向に沿って母屋１等の上面に配置され、溶接またはボルト・ナット等の固着具を介して母屋１等に固定される。両サドル半体５１は、起立板部５３の上部近傍を貫通するボルト部材５４等によって互いに連結されている。
【００１７】
脚部の上部には、断面横Ｕ字状の吊子保持部５５が、脚部と一体に設けられている。両サドル半体５１の吊子保持部５５を相対させた状態で、その内側には上方に開口する横長の空間が形成され、この空間内にライナー材５６が介装されている。ライナー材５６は、例えば、ポリオレフィン、ポリアセタール、フッ素樹脂、ポリアミド、ポリエステル、ＡＢＳ樹脂、ポリカーボネート、フェノール樹脂等の高潤滑性樹脂材料により成形されている。ライナー材５６には、前後方向（屋根勾配方向）に貫通し、かつ上方に開口する縦断面逆Ｔ字状の溝部５７が形成され、溝部５７の開口縁部はサドル半体５１の上面に張り出している。
【００１８】
吊子６は、図３、４に示した従来のものと同様に、鋼板を折曲加工して形成された部材で、直立部分の頂部６１が、下屋根のハゼ締め部１４に挟着される。底部６２は左右に張り出して断面逆Ｔ字状をなしている。吊子６の長さはサドル５の長さの概ね２倍〜４倍に形成され、底部６２がサドル５の溝部５７内に抱持されて屋根勾配方向に摺動する。底部６２の摺動方向における両端には、サドル５からの抜け出しを防ぐための折曲片６３が設けられている。
【００１９】
下屋根を構成する折板１３，１３は、下屋根用の吊子６の頂部６１を挟み込んでハゼ継ぎされ、その上面に断熱材（図示省略）が敷設される。そして、下屋根のハゼ継ぎ部１４に上屋根用の支持具７が取り付けられる。上屋根用の支持具７は、下屋根のハゼ継ぎ部１４を挟み込んで固定される上屋根用のサドル８と、該サドル８に支持される上屋根用の吊子９とによって構成される。上屋根用のサドル８も、下屋根用のサドル５と同様に、鋼材等からなるサドル半体８１，８１を対にして抱き合わせ、ボルト部材８４等によって連結した構造を有している。
【００２０】
各サドル半体８１は、下屋根用のサドル半体５１と同様に、底板部８２と起立板部８３とからなる脚部を有している。ただし、上屋根用のサドル半体８１は、底板部８２が下屋根の山部に沿うように傾斜しており、また、起立板部８３の高さが、下屋根用のサドル５に比して、やや小さくなっている。そして、一方のサドル半体８１の起立板部８３には、下屋根のハゼ継ぎ部１４の断面形状に合わせた凹部８８が形成され、この凹部８８に下屋根のハゼ継ぎ部１４が挟持される。なお、例示形態では、下屋根に、いわゆる角ハゼ型の吊子を採用しているため、これに合わせて凹部８８が一方のサドル半体８１にのみ形成されているが、下屋根に、いわゆる丸ハゼ型の吊子を用いる場合は、その断面形状に合わせて、両方のサドル半体８１に断面略半円形状の凹部を形成してもよい。下屋根のハゼ継ぎ部１４に取り付けられた上屋根用のサドル８は、脚部の側方から打込まれるタッピングビス８９によって、下屋根に固定される。
【００２１】
上屋根用のサドル８も、その上部に吊子保持部８５を一体的に有しており、吊子保持部８５の内側にはライナー材８６が介装されている。ライナー材８６は、上記した下屋根用の支持具４のライナー材５６と同一の部材で、前後方向（屋根勾配方向）に貫通し、かつ上方に開口する縦断面逆Ｔ字状の溝部８７を有しており、溝部８７の開口縁部はサドル半体８１の上面に張り出している。
【００２２】
このサドル８に保持される上屋根用の吊子９は、上記した下屋根用の吊子６と同一の部材で、その底部９２が溝部８７内に抱持されて、屋根勾配方向に摺動する。そして、この上屋根用の吊子９の頂部９１を挟み込んで上屋根の折板１７，１７がハゼ継ぎされる。
【００２３】
このように、吊子６，９が、それぞれサドル５，８によって摺動自在に保持される支持具４，７を二重に用いて、上屋根と下屋根を、いずれも摺動自在とすることにより、上屋根のみならず、下屋根に生じる伸縮や変形のストレスをも好適に解放することが可能になる。上屋根及び下屋根における支持具４，７の取り付けやハゼ締め作業はほぼ共通しており、かつ、従来ともほとんど変わらないので、施工性にも優れる。また、下屋根用の支持具４と上屋根用の支持具７とは、基本的構成が同じであり、ライナー材５６，８６や吊子６，９は共通化できるので、部品コストの上昇も抑制することができる。なお、本発明は、例示の実施形態に限定されず、同様の作用をなす類似の機構を利用しても実施可能である。
【図面の簡単な説明】
【００２４】
【図１】本発明の実施形態に係る二重葺き折板屋根の屋根葺き構造を示す斜視図である。
【図２】同じく、本発明の実施形態に係る二重葺き折板屋根の屋根葺き構造を示す断面図である。
【図３】従来の二重葺き折板屋根の屋根葺き構造を示す斜視図である。
【図４】同じく、従来の二重葺き折板屋根の屋根葺き構造を示す断面図である。
【符号の説明】
【００２５】
１  母屋（屋根下地）
１３  下屋根の折板
１４  下屋根のハゼ継ぎ部
１７  上屋根の折板
４  下屋根用の支持具
５  下屋根用のサドル
５７  サドルの溝部
６  下屋根用の吊子
６２  吊子の底部
７  上屋根用の支持具
８  上屋根用のサドル
８７  サドルの溝部
９  上屋根用の吊子
９２  吊子の底部
【図１】
2008231823.tif 000003
【図２】
2008231823.tif 000004
【図３】
2008231823.tif 000005
【図４】
2008231823.tif 000006